(57)【要約】【課題】記載した内容について写しが得られ、利便性に優れる複写式粘着タイプ付箋紙を提供すること。【解決手段】発色剤を裏面に塗布してある上用紙である付箋紙片Ａ（２）と、前記発色剤と反応する顕色剤を表面に塗布してある下用紙である付箋紙片Ｂ（３）とを有する付箋紙片の組を複数組有し、前記付箋紙片Ａと前記付箋紙片Ｂは、各々の裏面の端部には、繰り返し剥離及び接着が可能な粘着層が設けてあり、前記付箋紙片Ａは、前記付箋紙片の組毎の間に挟むことができる下敷部を有する構成とすること。【選択図】図１
0003138088.tif 000002
【実用新案登録請求の範囲】
【請求項１】
発色剤を裏面に塗布してある上用紙である付箋紙片Ａと、前記発色剤と反応する顕色剤を表面に塗布してある下用紙である付箋紙片Ｂとを有する付箋紙片の組を複数組有し、前記付箋紙片Ａと前記付箋紙片Ｂは、各々の裏面の端部に、繰り返し剥離及び接着が可能な粘着層が設けてあり、前記付箋紙片の組毎の間に挟むことができる下敷部を有することを特徴とする複写式粘着タイプ付箋紙。
【請求項２】
前記付箋紙片Ａが、発色剤を裏面に塗布してある上用紙の代わりに普通紙であって、前記付箋紙片Ｂが、発色剤をも表面に塗布してあることを特徴とする請求項１記載の複写式粘着タイプ付箋紙。
【請求項３】
最下層に裏表紙を有し、前記下敷部が前記裏表紙と一体であることを特徴とする請求項１又は請求項２記載の複写式粘着タイプ付箋紙。
【請求項４】
発色剤を裏面に塗布してあり前記発色剤と反応する顕色剤を表面に塗布してある中用紙であって、かつ、裏面の端部に繰り返し剥離及び接着が可能な粘着層が設けてある付箋紙片を複数枚重ねてあり、前記付箋紙片の間に挟むことができる下敷部を有することを特徴とする複写式粘着タイプ付箋紙。
【考案の詳細な説明】
【技術分野】
【０００１】
本考案は、鉛筆やボールペンなどの筆記に用いるのに適する付箋紙に関する。
【背景技術】
【０００２】
付箋紙は、従来より、オフィスや家庭で伝言メモ用紙などの利用目的で多用されている（例えば、特許文献１参照）。
【特許文献１】特開２００５−３０５７５４号公報（０００４段落）
【考案の開示】
【考案が解決しようとする課題】
【０００３】
しかし、従来の付箋紙では、付箋紙に書いたメモを他人に渡してしまうとメモの内容が本人の元に残らず、控えが必要な場合は再度メモを書かなければならないという問題があった。
【０００４】
したがって、本考案の目的は、記載した内容について写しが得られ、利便性に優れる複写式で粘着タイプである付箋紙を提供することにある。
【課題を解決するための手段】
【０００５】
上記目的を達成するため、本考案は、次のように構成したものである。
【０００６】
本考案の第１の態様は、発色剤を裏面に塗布してある上用紙である付箋紙片Ａと、前記発色剤と反応する顕色剤を表面に塗布してある下用紙である付箋紙片Ｂとを有する付箋紙片の組を複数組有し、前記付箋紙片Ａと前記付箋紙片Ｂは、各々の裏面の端部に、繰り返し剥離及び接着が可能な粘着層が設けてあり、前記付箋紙片の組毎の間に挟むことができる下敷部を有することを特徴とする複写式粘着タイプ付箋紙を提供するものである。
【０００７】
前記付箋紙片Ａが、発色剤を裏面に塗布してある上用紙の代わりに普通紙であって、前記付箋紙片Ｂが、発色剤をも表面に塗布してあるものであってもよい。
【０００８】
最下層に裏表紙を有し、前記下敷部が前記裏表紙と一体であることが好ましい。
【０００９】
発色剤を裏面に塗布してあり前記発色剤と反応する顕色剤を表面に塗布してある中用紙であって、かつ、裏面の端部に繰り返し剥離及び接着が可能な粘着層が設けてある付箋紙片を複数枚重ねてあり、前記付箋紙片の間に挟むことができる下敷部を有するものであってもよい。
【考案の効果】
【００１０】
本考案の複写式粘着タイプ付箋紙は、上述したとおりであるので、記載した内容について写しが得られ、利便性に優れる。
【考案を実施するための最良の形態】
【００１１】
以下に、添付した図面を参照しながら、本考案の好適な実施例の構成及び作用を詳細に説明する。
【実施例１】
【００１２】
（構成）
図１は、本考案の実施例１に係る複写式粘着タイプ付箋紙の全体構成図である。本実施例の付箋紙１は、一端に下敷部４を有する裏表紙１０の上に、付箋紙片Ａ２と付箋紙片Ｂ３を１組として複数組を重ねてある。下敷部４は付箋紙片と付箋紙片との間に挟んだり抜いたりすることができる。付箋紙片Ａ２と付箋紙片Ｂ３は、原紙がノーカーボン原紙であるノーカーボン紙であり、例えば坪量４０〜２００ｇ／ｍ２の紙が適する。下敷部４は板紙やプラスチック板が適し、例えば坪量１５０〜６００ｇ／ｍ２の厚紙やポリエチレンテレフタラート樹脂板、ポリプロピレン板などが適する。
【００１３】
図１で、下敷部４は、付箋紙片Ｂ３ａの下に敷いてあり、この状態において付箋紙片Ａ２ａに書いた記載内容は、付箋紙片Ｂ３ａには写るが、その下の付箋紙片Ａ２ｂ、２ｃ、及び付箋紙片Ｂ３ｂ、３ｃには、付箋紙片Ａ２ａに書いた記載内容が写らない。
【００１４】
本実施例では、天のり部１１は、下敷部４がある側とは反対側の端面全体であり、全ての付箋紙片Ａ２と付箋紙片Ｂ３と裏表紙１０とが糊付けしてある。なお、本実施例において、筆記可能なメモ部９のある側を付箋紙全体の上側すなわち表面側とし、裏表紙１０のある側を付箋紙全体の下側すなわち裏面側として説明する。また、図１及び図２においては、厚み方向の長さは、説明のため付箋紙の縦横の長さに比べ拡大してある。
【００１５】
図２は、本考案の実施例１に係る複写式粘着タイプ付箋紙の付箋紙片Ａと付箋紙片Ｂの構成図である。付箋紙片Ａ２は、裏面に、発色剤を塗布してなる発色層６と粘着層５を有する。付箋紙片Ｂ３は、表面に、発色剤と反応する顕色剤を塗布してなる顕色層７を有し、裏面に粘着層５を有する。発色剤は、マイクロカプセルに入って裏面に塗布されている。発色層６の無色染料（発色剤）を内包するマイクロカプセルが圧力によって壊れ、顕色層７の顕色剤と化学反応して発色する。本実施例において、付箋紙片Ａ２は上用紙、付箋紙片Ｂ３は下用紙であるが、間に中用紙である別の付箋紙片を挟んでもよい。付箋紙片Ａ２が１枚と付箋紙片Ｂ３が１枚の２枚で１組の付箋紙片の組とする。中用紙である別の付箋紙片を間に挟む場合は、３枚で１組の付箋紙片の組とする。中用紙の付箋紙片では、表面に顕色層７を有し、裏面に粘着層５と発色層６を有する。
【００１６】
付箋紙片Ａと付箋紙片Ｂの組の代わりに、すべて、表面に顕色層７を有し裏面に粘着層５と発色層６を有する中用紙である付箋紙片を重ねたものでもよい。かかる場合には、控えが要らない場合は、下敷部４を１枚目の付箋紙片の下に敷いてメモをすればよいし、控えが２枚必要な場合には、下敷部４を３枚目の付箋紙片の下に敷いてメモすればよいので、便利である。
【００１７】
付箋紙片Ａ２の粘着層５及び付箋紙片Ｂ３の粘着層５は、天のり部１１側の端部である。印刷部８は、付箋紙片Ａ２の表面の一部にあり、その部分は、裏面側に粘着層５がある位置に相当する。印刷部８は、例えばカラーのベタ印刷でも、会社名やメモの題名やチェック項目などの文字の印刷でも、斜線などの模様印刷でもよい。本実施例では、カラーのベタ印刷がしてある。インデックスの役目を果たることができる。メモする部分を広くしたいときやコストを下げたい場合などは、印刷部８はなくてもよい。本実施例では、下敷部４は、メモ部９をカバーできる程度の長さであり、粘着層５や天のり部１１まで達する長さではないが、粘着層５まで入る大きさでもよい。下敷部４は、裏表紙１０の一端にあるが、これは天のり部１１側以外のどの端側にあってもよい。例えば、図１では、紙面に向かって右側に下敷部４があるが、紙面手前側や紙面奥側に下敷部４があってもよい。
【００１８】
（効果）
本実施例によれば、付箋紙片Ａに記載すれば改めて写しを作らなくても、付箋紙片Ａに記載記載した内容が付箋紙片Ａの下の付箋紙片Ｂに写るので、写し（コピー）が得られる。また、付箋紙片が全て中用紙であるときは、必要に応じて控えの数を変えることができる。
【００１９】
また、下敷部を有するので、必要な枚数以上に記載内容が写るのを防止できる。さらに、本実施例では、下敷部が裏表紙の一端に有するので、下敷を失くす心配がなく便利である。また、筆圧が強くても、下敷部より下の付箋紙片に筆記跡が残らず、よって下の付箋紙片の表面がでこぼこしないので、書きやすさに優れる。
【００２０】
したがって、本実施例によれば、記載した内容について写しが得られ、利便性に優れる。
【００２１】
以上、本考案の好適な実施例について説明したが、本考案は、かかる実施形態に限定されず、その考案の趣旨を逸脱しない範囲で種々の変形実施が可能である。当業者であれば、実用新案登録請求の範囲に記載された技術的思想の範囲内において、各種の変更例又は修正例に想到しうることは明らかであり、それらについても当然に本考案の技術的範囲に属するものと了解される。
【００２２】
例えば、上記実施例においては、付箋紙片Ａが、発色剤を裏面に塗布してある上用紙で、付箋紙片Ｂが、前記発色剤と反応する顕色剤を表面に塗布してある下用紙である場合を挙げたが、付箋紙片Ａが、発色剤が塗布してない普通紙で、付箋紙片Ｂが、発色剤をも表面に塗布してあるでもよい。さらに、付箋紙片Ａ１枚に対して付箋紙片Ｂが複数枚で１組の付箋紙片としてもよい。
【図面の簡単な説明】
【００２３】
【図１】本考案の実施例１に係る複写式粘着タイプ付箋紙の全体構成図である。
【図２】本考案の実施例１に係る複写式粘着タイプ付箋紙の付箋紙片Ａと付箋紙片Ｂの構成図である。
【符号の説明】
【００２４】
１  付箋紙
２  付箋紙片Ａ
３  付箋紙片Ｂ
４  下敷部
５  粘着層
６  発色層
７  顕色層
８  印刷部
９  メモ部
１０  裏表紙
１１  天のり部
【図１】
0003138088.tif 000003
【図２】
0003138088.tif 000004